(57)【要約】【課題】端子金具の位置精度を高めることが可能なコネクタを提供する。【解決手段】第一ハウジング２０と第二ハウジング３０とを組み付けてなるハウジング１１には、屈曲部４３を挟んでアライメントプレート３１と対向する対向壁２３と、アライメントプレート３１と対向壁２３との間に配された一対の側壁３３とが設けられ、端子金具４０の屈曲部４３は、アライメントプレート３１、対向壁２３、および一対の側壁３３により囲まれてなる収容空間Ｓに配され、対向壁２３は、第一ハウジング２０に一体に設けられ、ケース５０は、対向壁２３に密着して形成され、第二ハウジング３０には、対向壁２３の端面に密着するとともに、インサート成形時に収容空間Ｓの開口を塞ぐ金型６０が当接する食い切り部３６が設けられている。【選択図】図１５
2013033633.tif 000002
【特許請求の範囲】
【請求項１】
複数の端子金具の中間部を保持する端子保持部と、前記複数の端子金具の一端側を保持するアライメントプレートと、を有するコネクタ部に、樹脂性のケースが一体となるようにインサート成形されたコネクタであって、
前記端子金具のうち前記端子保持部と前記アライメントプレートとの間の部分は略直角に屈曲された屈曲部とされ、
前記コネクタ部は、前記端子保持部を有する第一ハウジングと、前記アライメントプレートを有する第二ハウジングとを別体で備えるとともに、これらは互いに組み付け可能とされ、
前記第一ハウジングと前記第二ハウジングとを組み付けてなるハウジングには、前記屈曲部を隔てて前記アライメントプレートと対向する対向壁と、前記アライメントプレートと前記対向壁との間に配された一対の側壁とが設けられ、
前記端子金具の屈曲部は、前記アライメントプレート、前記対向壁、および前記一対の側壁により囲まれてなる収容空間に配され、
前記対向壁は、前記第一ハウジングに一体に設けられ、
前記ケースは、前記対向壁に密着して形成され、
前記第二ハウジングには、前記対向壁の端面に密着するとともに、インサート成形時に前記収容空間の開口を塞ぐ金型が当接する食い切り部が、一体に設けられているコネクタ。
【請求項２】
前記一対の側壁は、前記第二ハウジングに一体に設けられている請求項１に記載のコネクタ。
【請求項３】
前記端子金具は、複数段に並べて配され、
前記端子保持部は、前記複数段の端子金具を一括して保持するものである請求項１または請求項２に記載のコネクタ。
【発明の詳細な説明】
【技術分野】
【０００１】
本発明は、コネクタに関する。
【背景技術】
【０００２】
従来、複数の端子金具が保持されたコネクタ部に、樹脂性のケースが一体となるようにインサート成形されたコネクタが知られている（例えば特許文献１）。コネクタ部は、端子金具の中間部を保持する端子保持部と、端子金具の一端側を保持するアライメントプレートとを有し、中子として金型にセットされる。端子金具のうち端子保持部とアライメントプレートとの間の部分は、略直角に屈曲された屈曲部とされている。端子保持部には、この屈曲部の後側に配される後壁と、屈曲部の両側に配される一対の側壁とが設けられている。アライメントプレートは、一対の側壁の前側の開口に装着されている。
【０００３】
端子金具の一端側は、アライメントプレートに保持されることで位置決めされ、回路基板のスルーホールに貫通されて半田付けにより固着される。また、端子金具の屈曲部は、端子保持部に設けられた後壁と一対の側壁とによって囲まれた空間に配され、これにより端子金具に生じる応力が緩和され、半田クラック等が防止される。
【先行技術文献】
【特許文献】
【０００４】
【特許文献１】特開２００７−１９０７７７号公報
【発明の概要】
【発明が解決しようとする課題】
【０００５】
ところで、上記のような構成では、アライメントプレートが、一対の側壁に係止しているだけであるから、端子金具の位置精度を高める点において改善の余地があった。
【０００６】
本発明は上記のような事情に基づいて完成されたものであって、端子金具の位置精度を高めることが可能なコネクタを提供することを目的とする。
【課題を解決するための手段】
【０００７】
本発明のコネクタは、複数の端子金具の中間部を保持する端子保持部と、前記複数の端子金具の一端側を保持するアライメントプレートと、を有するコネクタ部に、樹脂性のケースが一体となるようにインサート成形されたコネクタであって、前記端子金具のうち前記端子保持部と前記アライメントプレートとの間の部分は略直角に屈曲された屈曲部とされ、前記コネクタ部は、前記端子保持部を有する第一ハウジングと、前記アライメントプレートを有する第二ハウジングとを別体で備えるとともに、これらは互いに組み付け可能とされ、前記第一ハウジングと前記第二ハウジングとを組み付けてなるハウジングには、前記屈曲部を隔てて前記アライメントプレートと対向する対向壁と、前記アライメントプレートと前記対向壁との間に配された一対の側壁とが設けられ、前記端子金具の屈曲部は、前記アライメントプレート、前記対向壁、および前記一対の側壁により囲まれてなる収容空間に配され、前記対向壁は、前記第一ハウジングに一体に設けられ、前記ケースは、前記対向壁に密着して形成され、前記第二ハウジングには、前記対向壁の端面に密着するとともに、インサート成形時に前記収容空間の開口を塞ぐ金型が当接する食い切り部が、一体に設けられているものである。
このような構成によれば、アライメントプレートを有する第二ハウジングに、食い切り部が一体に設けられているから、アライメントプレートが金型に対して位置精度よくセットされてコネクタが成形されるので、端子金具の位置精度を高めることができる。
【０００８】
また、前記一対の側壁は、前記第二ハウジングに一体に設けられているものとしてもよい。ここで、一対の側壁を第一ハウジングに一体に設けた場合には、予め端子金具を端子保持部に保持させた後に、屈曲部を屈曲する場合、側壁が邪魔になって作業を行いにくい。しかしながら、一対の側壁を第二ハウジング側に設けることで、側壁が邪魔になることはなく、屈曲部を容易に屈曲することができる。
【０００９】
また、前記端子金具は、複数段に並べて配され、前記端子保持部は、前記複数段の端子金具を一括して保持するものとしてもよい。このような構成によれば、各段の端子金具を、別々の部材の間に挟んで保持する場合に比べて、部品点数を少なくすることができるから、コストを低減することができる。
【発明の効果】
【００１０】
本発明によれば、端子金具の位置精度を高めることが可能なコネクタを提供することができる。
【図面の簡単な説明】
【００１１】
【図１】本実施形態におけるコネクタの斜視図
【図２】コネクタの平面図
【図３】コネクタの正面図
【図４】コネクタの断面図
【図５】組み付け前の第一ハウジングと第二ハウジングとを示す斜視図
【図６】組み付け後の第一ハウジングと第二ハウジングとを示す斜視図
【図７】第一ハウジングの平面図
【図８】第二ハウジングの平面図
【図９】組み付け後の第一ハウジングと第二ハウジングとを示す平面図
【図１０】組み付け前の第一ハウジングと第二ハウジングとを示す正面図
【図１１】組み付け後の第一ハウジングと第二ハウジングとを示す正面図
【図１２】組み付け前の第一ハウジングと第二ハウジングとを示す側面図
【図１３】組み付け後の第一ハウジングと第二ハウジングとを示す側面図
【図１４】型閉じした状態の金型と中子としてのコネクタ部とを示す断面図
【図１５】キャビティ内に溶融樹脂が充填された状態の金型とコネクタ部とを示す断面図
【発明を実施するための形態】
【００１２】
以下、本発明を具体化した一実施形態について、図１〜図１５を参照しつつ詳細に説明する。
本実施形態におけるコネクタＣは、自動車に搭載される基板用コネクタである。このコネクタＣは、図示しない回路基板に接続されるコネクタ部１０を有し、このコネクタ部１０に樹脂性のＥＣＵケース（以後、単にケース５０と称する）が一体となるようにインサート成形されたものである。ケース５０は、コネクタ部１０を中子としたインサート成形によって形成され、図示しない回路基板は、ケース５０の内部に収容される。以下、各構成部材において、図４の上側を上方、下側を下方、左側を前方、右側を後方として説明する。
【００１３】
コネクタ部１０は、第一ハウジング２０と第二ハウジング３０とを組み付けてなるハウジング１１と、このハウジング１１に保持された複数の端子金具４０とを備えている。
端子金具４０は、細長い板材の途中部分を直角曲げすることにより、略Ｌ字形に形成されている。端子金具４０の一端側は、図示しない回路基板のスルーホールに挿通されて、半田付けにより回路基板の導電路に接続される基板接続部４１とされている。また、端子金具４０の他端側は、後述するケース５０の筒状部５３に嵌合する外部のコネクタ（図示せず）に接続される外部接続部４２とされている。基板接続部４１および外部接続部４２は、端子金具４０の他の部分よりも幅寸法が小さい棒状に形成されている。なお、端子金具４０のうち略直角に屈曲された部分を屈曲部４３と称する。
【００１４】
第一ハウジング２０は合成樹脂製であって、複数の端子金具４０の中間部を一括して保持する端子保持部２１を有している。端子保持部２１は、全体として略ブロック状に形成され、端子金具４０を圧入可能な貫通孔２２が、前後方向に貫通形成されている。貫通孔２２は、端子保持部２１の所定位置に複数が形成され、端子金具４０は、複数段に並べて端子保持部２１に保持される（図１０等を参照）。なお、本実施形態では、１２本の端子金具４０が、６本ずつ２段に並べて配される。
【００１５】
第一ハウジング２０には、後述するアライメントプレート３１と対向して配される対向壁２３が、一体に設けられている。対向壁２３は、端子保持部２１の後面から後方に突出している。対向壁２３は、端子保持部２１の上端縁に沿って設けられ、その幅寸法は、端子保持部２１の幅寸法と同等とされている（図７参照）。対向壁２３は、下方から見ると、横長の長方形状をなし、その高さ寸法（前後方向の寸法）は一定とされている。この対向壁２３により、端子金具４０のうち端子保持部２１から後方に突出した部分の全体が、上方を覆われる。
【００１６】
第一ハウジング２０および第二ハウジング３０には、互いに係止してこれらを正規の組み付け状態に保持する係止部１２が設けられている（図９参照）。この係止部１２として、第一ハウジング２０には係止リブ２４が設けられ、第二ハウジング３０には、係止溝３４が設けられている。なお、係止溝３４についての詳細は後述する。
【００１７】
係止リブ２４は、第一ハウジング２０に一体に設けられ、図７に示すように、端子保持部２１の側面から側方に突出している。係止リブ２４は、上下方向に長い略長方形の薄板状とされ、端子保持部２１の両側面に設けられている。係止リブ２４は、端子保持部２１の後端に位置し、その後面は、端子保持部２１の後面と段差なく連なっている。
【００１８】
第一ハウジング２０および第二ハウジング３０には、これらが正規の組み付け状態に至ると上下方向に当接し、それ以上の組み付け動作を規制する当接部１３が設けられている（図１１参照）。この当接部１３として、第一ハウジング２０には上側当接部２５が設けられ、第二ハウジング３０には、下側当接部３５が設けられている。なお、下側当接部３５の詳細については後述する。
【００１９】
第一ハウジング２０に設けられた上側当接部２５は、第二ハウジング３０の下側当接部３５に対して上側から当接する。上側当接部２５は、端子保持部２１の側面に突出して設けられ、その突出寸法は、係止リブ２４の突出寸法と同等とされている（図７参照）。第一ハウジング２０の上面のうち後側部分、詳しくは、対向壁２３、係止リブ２４および上側当接部２５にかけての部分は、図１２に示すように、平坦な面とされ、それよりも前側の部分との間には段差２６が形成されている。
【００２０】
第二ハウジング３０は合成樹脂製であって、複数の端子金具４０の基板接続部（一端側）４１を一括して保持するアライメントプレート３１を有している（図５参照）。アライメントプレート３１は、横方向に長い略長方形の薄板状とされている。アライメントプレート３１には、各端子金具４０の基板接続部４１を挿通してこれらを位置決めする位置決め孔３２が開口されている。アライメントプレート３１の位置決め孔３２に挿通された基板接続部４１は、所定の位置に整列される。
【００２１】
第二ハウジング３０には、端子金具４０の屈曲部４３の両側を覆う一対の側壁３３が、一体に設けられている。一対の側壁３３は、アライメントプレート３１の両端から上方に突出している。側壁３３の前後方向の寸法は、アライメントプレート３１の前端よりも前方に至る寸法とされ、また側壁３３の壁厚寸法は、アライメントプレート３１の厚さ寸法（上下方向の寸法）よりも小さい寸法とされている。
【００２２】
一対の側壁３３の前端部には、前述した係止溝３４が設けられている。係止溝３４は、側壁３３の前端部を、係止リブ２４の形状に沿うように側方に突出させた形状に形成してなる溝である。係止溝３４は上下方向に延び、係止リブ２４が上方から挿入される。係止リブ２４が係止溝３４に挿入されることで、第一ハウジング２０と第二ハウジング３０との組み付け動作がガイドされる。第一ハウジング２０と第二ハウジング３０とが正規の組み付け状態に至ると、係止リブ２４は、その全体が係止溝３４内に収まる（図６参照）。
【００２３】
第二ハウジング３０には、前述した下側当接部３５が設けられている（図１２参照）。下側当接部３５は、係止溝３４の前面から前方に突出して設けられている。下側当接部３５は、係止溝３４の上端から若干下方に離れて位置し、その間に上側当接部２５が配される（図１３参照）。下側当接部３５の横方向の寸法は、図９に示すように、係止溝３４の横方向の寸法と同等の寸法とされている。
【００２４】
第二ハウジング３０には、一対の側壁３３の間を連結する連結部３６が設けられている（図８参照）。連結部３６は、一対の側壁３３の上端（アライメントプレート３１とは反対側の端）位置において、後端（側壁３３の立ち上がり端）同士を連結する部分であり、横方向に掛け渡された梁状とされている。連結部３６は、アライメントプレート３１よりも後側にずれた位置に設けられている。連結部３６と一対の側壁３３とにより３方を囲まれた部分は、第一ハウジング２０の対向壁２３が嵌合する嵌合部３７とされている。連結部３６の上下方向の寸法は、対向壁２３の壁厚寸法と同等とされている（図４参照）。連結部３６は、対向壁２３の後端面に密着し、対向壁２３は、嵌合部３７に対して隙間なく密着する。連結部３６は、インサート成形時に、後述する収容空間Ｓの開口を塞ぐ下型６１が当接する食い切り部とされている。
【００２５】
第二ハウジング３０には、図５に示すように、側壁３３の上端（アライメントプレート３１とは反対側の端）から側方に広がる拡張部３８が設けられている。拡張部３８は、前後方向に長い長方形の壁状をなし、連結部３６の端から係止溝３４の形成部位にわたって設けられている。拡張部３８の横方向の寸法は、下側当接部３５の横方向の寸法と同等とされている。拡張部３８は、第一ハウジング２０の対向壁２３と同等の壁厚寸法を有し、ケース５０の蓋部５１に埋められてケース５０に密着する。拡張部３８は、第二ハウジング３０の両側に設けられている。
【００２６】
第一ハウジング２０と第二ハウジング３０とが組み付けられてなるハウジング１１には、アライメントプレート３１と、対向壁２３と、一対の側壁３３とにより囲まれてなる収容空間Ｓが形成される。この収容空間Ｓには、端子金具４０の屈曲部４３が収容される。
【００２７】
ケース５０は合成樹脂製であって、全体として下面側が開口した浅い箱形に形成されている（図１参照）。ケース５０は、略方形をなす蓋部５１と、その周囲を囲む周壁５２とを有し、その前側には、筒状部５３が突出して設けられている。筒状部５３は、前後方向に開口し、相手側の外部コネクタ（図示せず）が前方から嵌合可能とされている。筒状部５３の奥には、コネクタ部１０に備えられた端子金具４０の外部接続部４２が、前方に突出して配される。
ケース５０は、ハウジング１１の上面（アライメントプレート３１とは反対側の面）の略全体、および端子保持部２１の略全周に密着して形成されている（図４参照）。
【００２８】
次に、コネクタＣの製造方法の一例を説明する。
まず、コネクタ部１０を形成する。
最初に、端子金具４０を第一ハウジング２０に圧入し、その後、端子金具４０を屈曲させる。次いで、端子金具４０を保持した第一ハウジング２０を、第二ハウジング３０に組み付ける。第一ハウジング２０の係止リブ２４と第二ハウジング３０の係止溝３４とを嵌め合わせて、第一ハウジング２０と第二ハウジング３０とをスライドさせる。すると、端子金具４０の基板接続部４１が、アライメントプレート３１の位置決め孔３２を挿通して反対側に突出し、やがて第一ハウジング２０および第二ハウジング３０の当接部１３が当接する。こうして、第一ハウジング２０と第二ハウジング３０とが正規の状態に組み付けられ、コネクタ部１０が形成される。
【００２９】
次に、コネクタ部１０を中子として、ケース５０をインサート成形する。
ここで、インサート成形用の金型６０について説明する。インサート成形用の金型６０は、図１４に示すように、上下方向に開閉可能に対向する下型６１および上型６２と、左右方向に移動可能なスライド型６３とを有している。下型６１は、中子としてセットされたコネクタ部１０に当接し、金型６０が型閉じされると、第一ハウジング２０の端子保持部２１の下面、第二ハウジング３０の一対の側壁３３の下端面、およびアライメントプレート３１の下面に密着し、また、収容空間Ｓの開口を塞いで第二ハウジング３０の連結部３６の下面および後面に密着する。これにより、下型６１は、収容空間Ｓの下方および後方の開口を塞ぐ。そして、型閉じされた金型６０の内部には、上型６２、下型６１、スライド型６３、およびコネクタ部１０とによって、ケース５０を形成するためのキャビティ６４が形成される。このキャビティ６４に溶融樹脂を充填し、これが固化することでケース５０が形成され、コネクタＣの製造が完了する。
【００３０】
上記のように構成された本実施形態によれば、以下の効果を奏する。
本実施形態のコネクタＣは、複数の端子金具４０の中間部を保持する端子保持部２１と、複数の端子金具４０の基板接続部４１を保持するアライメントプレート３１と、を有するコネクタ部１０に、樹脂性のケース５０が一体となるようにインサート成形されたものであって、端子金具４０のうち端子保持部２１とアライメントプレート３１との間の部分は略直角に屈曲された屈曲部４３とされ、コネクタ部１０は、端子保持部２１を有する第一ハウジング２０と、アライメントプレート３１を有する第二ハウジング３０とを別体で備えるとともに、これらは互いに組み付け可能とされ、第一ハウジング２０と第二ハウジング３０とを組み付けてなるハウジング１１には、屈曲部４３を挟んでアライメントプレート３１と対向する対向壁２３と、アライメントプレート３１と対向壁２３との間に配された一対の側壁３３とが設けられ、端子金具４０の屈曲部４３は、アライメントプレート３１、対向壁２３、および一対の側壁３３により囲まれてなる収容空間Ｓに配され、対向壁２３は、第一ハウジング２０に一体に設けられ、ケース５０は、対向壁２３に密着して形成され、第二ハウジング３０には、対向壁２３の端面に密着するとともに、インサート成形時に収容空間Ｓの開口を塞ぐ金型６０が当接する連結部（食い切り部）３６が設けられている。
【００３１】
このように、アライメントプレート３１を有する第二ハウジング３０に、食い切り部３６が一体に設けられているから、アライメントプレート３１が金型６０に対して位置精度よくセットされてコネクタＣが成形されるので、端子金具４０の位置精度を高めることができる。
【００３２】
また、一対の側壁３３は、第二ハウジング３０に設けられている。ここで、一対の側壁を第一ハウジングに設けた場合には、予め端子金具を端子保持部に保持させた後に、屈曲部を屈曲する際に、側壁が邪魔になって作業を行いにくい。しかしながら、一対の側壁３３を第二ハウジング３０に設けることで、側壁３３が邪魔になることはなく、屈曲部４３を容易に屈曲することができる。
【００３３】
また、端子金具４０は、複数段に並べて配され、端子保持部２１は、複数段の端子金具４０を一括して保持するものである。これにより、例えば各段の端子金具４０を、別々の部材の間に挟んで保持する場合に比べて、部品点数を少なくすることができるから、コストを低減することができる。
【００３４】
＜他の実施形態＞
本発明は上記記述及び図面によって説明した実施形態に限定されるものではなく、例えば次のような実施形態も本発明の技術的範囲に含まれる。
【００３５】
（１）上記実施形態では、端子金具４０を第一ハウジング２０の端子保持部２１に圧入した後、屈曲しているが、これに限らず、例えば、予め屈曲された端子金具を端子保持部に挿入してもよく、また、予め屈曲された端子金具に端子保持部をインサート成形してもよい。
（２）上記実施形態では、一対の側壁３３は、第二ハウジング３０に設けられているが、これに限らず、一対の側壁を第一ハウジングに設けてもよい。
（３）上記実施形態では、係止部１２は、第一ハウジング２０に設けられた係止リブ２４と、第二ハウジング３０に設けられた係止溝３４とされているが、これに限らず、第一ハウジングに係止溝を設け、第二ハウジングに係止リブを設けるものとしてもよい。
【符号の説明】
【００３６】
Ｃ…コネクタ
Ｓ…収容空間
１０…コネクタ部
１１…ハウジング
２０…第一ハウジング
２１…端子保持部
２３…対向壁
３０…第二ハウジング
３１…アライメントプレート
３３…側壁
３６…連結部（食い切り部）
４０…端子金具
４３…屈曲部
５０…ケース
６０…金型
【図１】
2013033633.tif 000003
【図２】
2013033633.tif 000004
【図３】
2013033633.tif 000005
【図４】
2013033633.tif 000006
【図５】
2013033633.tif 000007
【図６】
2013033633.tif 000008
【図７】
2013033633.tif 000009
【図８】
2013033633.tif 000010
【図９】
2013033633.tif 000011
【図１０】
2013033633.tif 000012
【図１１】
2013033633.tif 000013
【図１２】
2013033633.tif 000014
【図１３】
2013033633.tif 000015
【図１４】
2013033633.tif 000016
【図１５】
2013033633.tif 000017